(57)【特許請求の範囲】
【請求項１】
多孔性支持体の表面にスキン層を有する複合半透膜を作製する工程、前記スキン層上にアニオン性ポリビニルアルコールを３５ｍｇ／ｍ２以上含有する保護層を形成して保護層付き複合半透膜を作製する工程、前記保護層付き複合半透膜を用いて未洗浄スパイラル型分離膜エレメントを作製する工程、及び前記未洗浄スパイラル型分離膜エレメントに洗浄水を通水して、前記スキン層上の保護層を除去する工程を含むスパイラル型分離膜エレメントの製造方法。
【発明の詳細な説明】
【技術分野】
【０００１】
本発明は、複合半透膜を含むスパイラル型分離膜エレメントに関する。かかるスパイラル型分離膜エレメントは、超純水の製造、かん水または海水の脱塩などに好適であり、また染色排水や電着塗料排水などの公害発生原因である汚れなどから、その中に含まれる汚染源あるいは有効物質を除去・回収し、排水のクローズ化に寄与することができる。また、食品用途などで有効成分の濃縮、浄水や下水用途等での有害成分の除去などの高度処理に用いることができる。また、油田やシェールガス田などにおける排水処理に用いることができる。
【背景技術】
【０００２】
複合半透膜はその濾過性能や処理方法に応じてＲＯ（逆浸透）膜、ＮＦ（ナノ濾過）膜、ＦＯ（正浸透）膜と呼ばれ、超純水製造、海水淡水化、かん水の脱塩処理、排水の再利用処理などに用いることができる。
【０００３】
工業的によく利用される複合半透膜としては、例えば、多官能アミン成分と多官能酸ハライド成分とを反応させてなるポリアミド系樹脂を含むスキン層が多孔性支持体の表面に形成されている複合半透膜が挙げられる。当該複合半透膜のスキン層表面は、一般に、ポリアミド系樹脂中に残存するカルボン酸の影響により負電荷を有している。そのため、界面活性剤等のイオン性有機汚染物質を含む水（例えば、下水）を前記複合半透膜で処理した場合、前記有機汚染物質が静電引力によってスキン層表面に吸着し、次第に透水量が低下するという問題があった。
【０００４】
上記問題を解決するために、例えば、特許文献１では、分離活性層の表層に電気的に中性の有機重合体である、２５℃の水に対し不溶性であり、８０℃の水に対し可溶性であり、ケン化度９９％以上のポリビニルアルコールを被覆した逆浸透複合膜が提案されている。
【０００５】
また、特許文献２では、カチオン性高分子を逆浸透膜に付着させた後、アニオン性ポリビニルアルコールを付着させた逆浸透膜が提案されている。
【０００６】
一方、従来より、逆浸透ろ過、限外ろ過、精密ろ過等に用いられる流体分離エレメントとして、例えば、供給側流体を分離膜表面へ導く供給側流路材、供給側流体を分離する分離膜、分離膜を透過し供給側流体から分離された透過側流体を中心管へと導く透過側流路材からなるユニットを有孔の中心管の周りに巻き付けたスパイラル型分離膜エレメントが知られている（特許文献３、４）。
【先行技術文献】
【特許文献】
【０００７】
【特許文献１】国際公開第９７／０３４６８６号公報
【特許文献２】特許第５５６８８３５号公報
【特許文献３】特開２０００−３５４７４３号公報
【特許文献４】特開２００６−６８６４４号公報
【発明の概要】
【発明が解決しようとする課題】
【０００８】
このようなスパイラル型分離膜エレメントの分離膜として前記複合半透膜を用いた場合に、エレメントに加工する前の複合半透膜の膜性能が、エレメントに加工すると大きく低下するという課題が判明した。
【０００９】
本発明は、エレメントに加工する前の複合半透膜の膜性能を維持でき、優れた膜性能を有するスパイラル型分離膜エレメントの製造方法を提供することを目的とする。
【課題を解決するための手段】
【００１０】
本発明者らは、前記課題を解決すべく鋭意検討を重ねた結果、以下に示すスパイラル型分離膜エレメントの製造方法により上記目的を達成できることを見出し、本発明を完成するに至った。
【００１１】
すなわち、本発明は、多孔性支持体の表面にスキン層を有する複合半透膜を作製する工程、前記スキン層上にアニオン性ポリビニルアルコールを３５ｍｇ／ｍ２以上含有する保護層を形成して保護層付き複合半透膜を作製する工程、前記保護層付き複合半透膜を用いて未洗浄スパイラル型分離膜エレメントを作製する工程、及び前記未洗浄スパイラル型分離膜エレメントに洗浄水を通水して、前記スキン層上の保護層を除去する工程を含むスパイラル型分離膜エレメントの製造方法、に関する。
【００１２】
本発明者は、エレメントに加工する前の複合半透膜の膜性能が、エレメントに加工すると大きく低下する原因について検討したところ、下記原因によるものであることがわかった。
【００１３】
複合半透膜はロールを有するライン上で作製され、その後、ドラムに巻き取られる。また、複合半透膜をエレメントに加工する際には、ドラムから巻き戻され、ロールを有するライン上を長距離搬送される。そのため、複合半透膜が作製されてからエレメントに加工されるまでの間に、スキン層表面は、搬送工程、巻取り工程、巻き戻し工程、及びエレメント作製工程などで物理的ダメージを受ける。その結果、エレメントに加工すると複合半透膜の膜性能が大きく低下すると考えられる。
【００１４】
本発明のように、複合半透膜を作製した後に、スキン層上にアニオン性ポリビニルアルコールを３５ｍｇ／ｍ２以上含有する保護層を形成してスキン層表面を保護しておくことにより、エレメントを作製するまでの各工程においてスキン層表面が物理的ダメージを受けることを抑制することができる。また、本発明においては、エレメントを作製した後に、スキン層上の保護層を除去することが必要である。保護層を残したままにすると、エレメントの水透過性が低下するためである。なお、保護層は完全に除去することが好ましいが、エレメントの水透過性が低下しない程度に残存していてもよい。
【００１５】
本発明においては、エレメントに洗浄水を通水して保護層を除去しやすくするために、保護層の原料としてアニオン性ポリビニルアルコールを用いる。ポリアミド系樹脂を含むスキン層の表面は、一般に、ポリアミド系樹脂中に残存するカルボン酸の影響により負電荷を有している。そのため、保護層の原料としてアニオン性ポリビニルアルコールを用いることにより、スキン層表面との電気的反発によって保護層を除去しやすくなると推察できる。ただし、本発明は、この推察により、なんら制限ないし限定されない。
【００１６】
保護層中のアニオン性ポリビニルアルコールの含有量が３５ｍｇ／ｍ２未満の場合には、エレメントを作製するまでの各工程においてスキン層表面が物理的ダメージを受けやすくなる。
【発明の効果】
【００１７】
本発明の製造方法によれば、エレメントに加工する前の複合半透膜の膜性能と同等の優れた膜性能を有するスパイラル型分離膜エレメントを簡易な方法で製造することができる。
【発明を実施するための形態】
【００１８】
以下、本発明の実施の形態について説明する。本発明のスパイラル型分離膜エレメントの製造方法は、多孔性支持体の表面にスキン層を有する複合半透膜を作製する工程、前記スキン層上にアニオン性ポリビニルアルコールを３５ｍｇ／ｍ２以上含有する保護層を形成して保護層付き複合半透膜を作製する工程、前記保護層付き複合半透膜を用いて未洗浄スパイラル型分離膜エレメントを作製する工程、及び前記未洗浄スパイラル型分離膜エレメントに洗浄水を通水して、前記スキン層上の保護層を除去する工程を含む。
【００１９】
スキン層の形成材料は特に制限されず、例えば、酢酸セルロール、エチルセルロース、ポリエーテル、ポリエステル、及びポリアミドなどが挙げられる。特に、多官能アミン成分と多官能酸ハロゲン成分とを重合して得られるポリアミド系樹脂を含むスキン層であることが好ましい。
【００２０】
多官能アミン成分とは、２以上の反応性アミノ基を有する多官能アミンであり、芳香族、脂肪族及び脂環式の多官能アミンが挙げられる。
【００２１】
芳香族多官能アミンとしては、例えば、ｍ−フェニレンジアミン、ｐ−フェニレンジアミン、ｏ−フェニレンジアミン、１，３，５−トリアミノベンゼン、１，２，４−トリアミノベンゼン、３，５−ジアミノ安息香酸、２，４−ジアミノトルエン、２，６−ジアミノトルエン、Ｎ，Ｎ’−ジメチル−ｍ−フェニレンジアミン、２，４−ジアミノアニソール、アミドール、キシリレンジアミン等が挙げられる。
【００２２】
脂肪族多官能アミンとしては、例えば、エチレンジアミン、プロピレンジアミン、トリス（２−アミノエチル）アミン、ｎ−フェニル−エチレンジアミン等が挙げられる。
【００２３】
脂環式多官能アミンとしては、例えば、１，３−ジアミノシクロヘキサン、１，２−ジアミノシクロヘキサン、１，４−ジアミノシクロヘキサン、ピペラジン、２，５−ジメチルピペラジン、４−アミノメチルピペラジン等が挙げられる。
【００２４】
これらの多官能アミンは１種で用いてもよく、２種以上を併用してもよい。高塩阻止性能のスキン層を得るためには、芳香族多官能アミンを用いることが好ましい。
【００２５】
多官能酸ハライド成分とは、反応性カルボニル基を２個以上有する多官能酸ハライドである。
【００２６】
多官能酸ハライドとしては、芳香族、脂肪族及び脂環式の多官能酸ハライドが挙げられる。
【００２７】
芳香族多官能酸ハライドとしては、例えば、トリメシン酸トリクロライド、テレフタル酸ジクロライド、イソフタル酸ジクロライド、ビフェニルジカルボン酸ジクロライド、ナフタレンジカルボン酸ジクロライド、ベンゼントリスルホン酸トリクロライド、ベンゼンジスルホン酸ジクロライド、クロロスルホニルベンゼンジカルボン酸ジクロライド等が挙げられる。
【００２８】
脂肪族多官能酸ハライドとしては、例えば、プロパンジカルボン酸ジクロライド、ブタンジカルボン酸ジクロライド、ペンタンジカルボン酸ジクロライド、プロパントリカルボン酸トリクロライド、ブタントリカルボン酸トリクロライド、ペンタントリカルボン酸トリクロライド、グルタリルハライド、アジポイルハライド等が挙げられる。
【００２９】
脂環式多官能酸ハライドとしては、例えば、シクロプロパントリカルボン酸トリクロライド、シクロブタンテトラカルボン酸テトラクロライド、シクロペンタントリカルボン酸トリクロライド、シクロペンタンテトラカルボン酸テトラクロライド、シクロヘキサントリカルボン酸トリクロライド、テトラハイドロフランテトラカルボン酸テトラクロライド、シクロペンタンジカルボン酸ジクロライド、シクロブタンジカルボン酸ジクロライド、シクロヘキサンジカルボン酸ジクロライド、テトラハイドロフランジカルボン酸ジクロライド等が挙げられる。
【００３０】
これら多官能酸ハライドは１種で用いてもよく、２種以上を併用してもよい。高塩阻止性能のスキン層を得るためには、芳香族多官能酸ハライドを用いることが好ましい。また、多官能酸ハライド成分の少なくとも一部に３価以上の多官能酸ハライドを用いて、架橋構造を形成するのが好ましい。
【００３１】
また、ポリアミド系樹脂を含むスキン層の性能を向上させるために、ポリビニルアルコール、ポリビニルピロリドン、ポリアクリル酸などのポリマー、ソルビトール、グリセリンなどの多価アルコールなどを共重合させてもよい。
【００３２】
スキン層を支持する多孔性支持体は、スキン層を支持しうるものであれば特に限定されず、通常、平均孔径１０〜５００Å程度の微孔を有する限外濾過膜が好ましく用いられる。多孔性支持体の形成材料としては、例えば、ポリスルホン、ポリエーテルスルホンのようなポリアリールエーテルスルホン、ポリイミド、ボリフッ化ビニリデンなど種々のものをあげることができるが、特に化学的、機械的、熱的に安定である点からポリスルホン、ポリアリールエーテルスルホンが好ましく用いられる。かかる多孔性支持体の厚さは、通常約２５〜１２５μｍ、好ましくは約４０〜７５μｍであるが、必ずしもこれらに限定されるものではない。なお、多孔性支持体は織布、不織布等の基材による裏打ちにて補強されていている。
【００３３】
ポリアミド系樹脂を含むスキン層を多孔性支持体の表面に形成する方法は特に制限されず、あらゆる公知の手法を用いることができる。例えば、界面縮合法、相分離法、薄膜塗布法などが挙げられる。界面縮合法とは、具体的に、多官能アミン成分を含有するアミン水溶液と、多官能酸ハライド成分を含有する有機溶液とを接触させて界面重合させることによりスキン層を形成し、該スキン層を多孔性支持体上に載置する方法や、多孔性支持体上での前記界面重合によりポリアミド系樹脂のスキン層を多孔性支持体上に直接形成する方法である。かかる界面縮合法の条件等の詳細は、特開昭５８−２４３０３号公報、特開平１−１８０２０８号公報等に記載されており、それらの公知技術を適宜採用することができる。
【００３４】
多孔性支持体上に形成したスキン層の厚みは特に制限されないが、通常０．０５〜２μｍ程度であり、好ましくは、０．１〜１μｍである。
【００３５】
また、複合半透膜の塩阻止性、水透過性、及び耐酸化剤性等を向上させるために、従来公知の各種処理を施してもよい。
【００３６】
複合半透膜を作製した後、スキン層上にアニオン性ポリビニルアルコールを含有する保護層を形成して保護層付き複合半透膜を作製する。
【００３７】
アニオン性ポリビニルアルコールは、アニオン性官能基を有するポリビニルアルコールであり、アニオン性官能基としては、例えば、カルボキシル基、スルホン酸基、及びリン酸基などが挙げられる。これらのうち、カルボキシル基又はスルホン酸基が好ましい。
【００３８】
ポリビニルアルコールにアニオン性官能基を導入する方法は特に制限されず、公知の方法を採用することができる。
【００３９】
アニオン性ポリビニルアルコールの市販品としては、例えば、クラレ社製のＫＬ−１１８、ＫＬ−３１８、ＫＬ−５０６、ＫＭ−１１８、及びＫＭ−６１８；日本合成化学工業社製のゴーセネックスＣＫＳ５０、ゴーセネックスＴ−３３０Ｈ、及びゴーセネックスＴ−３５０などが挙げられる。
【００４０】
保護層は、アニオン性ポリビニルアルコールを含有する溶液をスキン層上に塗工し、乾燥処理して形成する。塗工方法としては、例えば、噴霧、塗布、シャワーなどが挙げられる。溶媒としては、水の他、スキン層等の性能を低下させない有機溶媒を併用してもよい。そのような有機溶媒としては、例えば、メタノール、エタノール、プロパノール、及びブタノールなどの脂肪族アルコール；メトキシメタノール及びメトキシエタノールなどの低級アルコールが挙げられる。
【００４１】
前記溶液の温度は特に制限されないが、スキン層の劣化防止の観点、及び取り扱いの容易さ等から１０〜９０℃であることが好ましく、より好ましくは１０〜６０℃である。
【００４２】
前記溶液をスキン層上に塗工した後、乾燥処理を行う際の温度は特に制限されないが、通常６０〜１６０℃程度であり、好ましくは８０〜１５０℃である。
【００４３】
保護層は、アニオン性ポリビニルアルコールを３５ｍｇ／ｍ２以上含有することが必要であり、好ましくは３９ｍｇ／ｍ２以上であり、より好ましくは５５ｍｇ／ｍ２以上であり、さらに好ましくは１００ｍｇ／ｍ２以上であり、よりさらに好ましくは１５０ｍｇ／ｍ２以上であり、特に好ましくは１７０ｍｇ／ｍ２以上である。一方、保護層中のアニオン性ポリビニルアルコールの含有量が多くなり過ぎると、通水処理により保護層を除去しにくくなるため、保護層中のアニオン性ポリビニルアルコールの含有量は２０００ｍｇ／ｍ２以下であることが好ましく、より好ましくは１０００ｍｇ／ｍ２以下であり、さらに好ましくは５００ｍｇ／ｍ２以下であり、特に好ましくは３００ｍｇ／ｍ２以下である。
【００４４】
その後、前記保護層付き複合半透膜を用いて未洗浄スパイラル型分離膜エレメントを作製する。未洗浄スパイラル型分離膜エレメントは、供給側流路材と、前記保護層付き複合半透膜と、透過側流路材とを含むものである。
【００４５】
供給側流路材及び透過側流路材は公知のものを特に制限なく使用でき、例えば、ネット状材料、編物状材料、メッシュ状材料、溝付シート、及び波形シートなどが挙げられる。
【００４６】
未洗浄スパイラル型分離膜エレメントは、例えば、保護層付き複合半透膜を二つ折りにした間に供給側流路材を配置したものと、透過側流路材とを積み重ね、供給側流体と透過側流体の混合を防ぐ封止部を形成するための接着剤を保護層付き複合半透膜の周辺部（３辺）に塗布して分離膜ユニットを作製し、この分離膜ユニットの単数または複数を中心管の周囲にスパイラル状に巻きつけて、更に分離膜ユニットの周辺部を封止することによって製造される。
【００４７】
その後、前記未洗浄スパイラル型分離膜エレメントに洗浄水を通水して、スキン層上の保護層を除去してスパイラル型分離膜エレメントを作製する。
【００４８】
洗浄水の温度は特に制限されないが、通常、１０〜４０℃程度であり、保護層の除去効率などの観点から２５〜４０℃であることが好ましい。
【００４９】
通水時の圧力は特に制限されないが、通常、０．１〜３．０ＭＰａ程度であり、保護層の除去効率などの観点から０．５〜１．５ＭＰａであることが好ましい。
【００５０】
保護層は完全に除去することが好ましいが、スパイラル型分離膜エレメントの水透過性が低下しない程度に残存していてもよい。具体的には、通水処理後の保護層中のアニオン性ポリビニルアルコールの含有量は２００ｍｇ／ｍ２以下であることが好ましく、より好ましくは１００ｍｇ／ｍ２以下であり、さらに好ましくは７５ｍｇ／ｍ２以下であり、よりさらに好ましくは３３ｍｇ／ｍ２以下であり、特に好ましくは２３ｍｇ／ｍ２以下である。
【００５１】
本発明の製造方法により得られるスパイラル型分離膜エレメントは、エレメントに加工する前の複合半透膜の膜性能と同等の優れた膜性能を有するものである。
【実施例】
【００５２】
以下に実施例をあげて本発明を説明するが、本発明はこれら実施例によりなんら限定されるものではない。
【００５３】
比較例１
ｍ−フェニレンジアミン３重量％、ラウリル硫酸ナトリウム０．１５重量％、トリエチルアミン３重量％、カンファースルホン酸６重量％、及びイソプロピルアルコール４重量％を含有するアミン水溶液を多孔性ポリスルホン支持膜（薄膜形成側平均孔径２０ｎｍ、非対称膜）上に塗布し、その後余分なアミン水溶液を除去することにより水溶液被覆層を形成した。次に、前記水溶液被覆層の表面にトリメシン酸クロライド０．２重量％を含有するイソオクタン溶液を塗布した。その後、余分な溶液を除去し、さらに１３０℃の熱風乾燥機中で３分間保持して、多孔性ポリスルホン支持膜上にポリアミド系樹脂を含むスキン層（厚み１μｍ）を形成して複合半透膜を作製した。
【００５４】
実施例１
比較例１で作製した複合半透膜のスキン層上に、ＫＬ−３１８（クラレ社製、カルボン酸変性ポリビニルアルコール、重合度：１８００、ケン化度：８７．５％）０．７重量％、及びイソプロピルアルコール３０重量％を含有する水溶液を塗布し、１３０℃で３分間乾燥させて保護層を形成して保護層付き複合半透膜を作製した。
【００５５】
実施例２
水溶液中のＫＬ−３１８の含有量を０．０７重量％に変更した以外は実施例１と同様の方法で保護層付き複合半透膜を作製した。
【００５６】
実施例３
水溶液中のＫＬ−３１８の含有量を０．０３７重量％に変更した以外は実施例１と同様の方法で保護層付き複合半透膜を作製した。
【００５７】
実施例４
水溶液中のＫＬ−３１８の含有量を０．０２３重量％に変更した以外は実施例１と同様の方法で保護層付き複合半透膜を作製した。
【００５８】
実施例５
水溶液中のＫＬ−３１８の含有量を０．０１８重量％に変更した以外は実施例１と同様の方法で保護層付き複合半透膜を作製した。
【００５９】
実施例６
水溶液中のＫＬ−３１８の含有量を０．０１６重量％に変更した以外は実施例１と同様の方法で保護層付き複合半透膜を作製した。
【００６０】
比較例２
ＫＬ−３１８の代わりにゴーセノールＮＬ−０５（日本合成化学工業社製、ポリビニルアルコール、重合度：５００、ケン化度：９９．２％）を用いた以外は実施例１と同様の方法で保護層付き複合半透膜を作製した。
【００６１】
比較例３
水溶液中のＫＬ−３１８の含有量を０．００７重量％に変更した以外は実施例１と同様の方法で保護層付き複合半透膜を作製した。
【００６２】
比較例４
水溶液中のＫＬ−３１８の含有量を０．０００７重量％に変更した以外は実施例１と同様の方法で保護層付き複合半透膜を作製した。
【００６３】
比較例５
水溶液中のＫＬ−３１８の含有量を０．０１２重量％に変更した以外は実施例１と同様の方法で保護層付き複合半透膜を作製した。
【００６４】
〔評価及び測定方法〕
（保護層中に含まれるポリビニルアルコールの含有量の測定）
比較例１で作製した複合半透膜のスキン層上に、実施例及び比較例で用いたポリビニルアルコールを所定濃度で含む水溶液をそれぞれ塗布し、乾燥させて保護層を形成して保護層付き複合半透膜を作製した。作製した保護層付き複合半透膜を用いて、TOF-SIMS 5（ION-TOF製）で測定して得られる相対強度とポリビニルアルコール量との相関から検量線を作成した。その後、実施例１〜６及び比較例２〜５で作製した保護層付き複合半透膜についてTOF-SIMS 5で測定を行い、前記検量線を基に各保護層付き複合半透膜の保護層中に含まれるポリビニルアルコールの含有量を算出した。  
また、透過流束及び塩阻止率の測定後（通水処理後）の保護層付き複合半透膜について、前記と同様の方法で保護層中に含まれるポリビニルアルコールの含有量を算出した。
【００６５】
（透過流束及び塩阻止率の測定）
実施例１〜６及び比較例２〜５で作製した保護層付き複合半透膜、及び比較例１で作製した複合半透膜を所定の形状、サイズに切断し、平膜評価用のセルにセットした。そして、膜に２５℃の水を１．５ＭＰａの圧力で１〜２時間通水した。その後、２０００ｍｇ／ＬのＮａＣｌを含みかつｐＨ７に調整した水溶液を２５℃で膜の供給側と透過側に１．５５ＭＰａの差圧を与えて膜に３０分間接触させた。この操作によって得られた透過水の透過速度および電導度を測定し、透過流束（ｍ３／ｍ２・ｄ）および塩阻止率（％）を算出した。塩阻止率は、ＮａＣｌ濃度と水溶液電導度の相関(検量線)を事前に作成し、それらを用いて下式により算出した。  
塩阻止率（％）＝{１−（透過液中のＮａＣｌ濃度［ｍｇ／Ｌ］）／（供給液中のＮａＣｌ濃度［ｍｇ／Ｌ］）}×１００
【００６６】
（擦れ試験）
実施例１〜６及び比較例２〜５で作製した保護層付き複合半透膜、及び比較例１で作製した複合半透膜を所定の形状、サイズに切断してサンプルを得た。原水スペーサー（Delstar社製、材質：ポリプロピレン、厚み：３４mil）を４ｃｍ×１２ｃｍに切断し、それを前記サンプルのスキン層側に設置した。７０ｇの重りを原水スペーサー上に載せ、原水スペーサーを移動させて前記サンプルのスキン層側の膜面を１０回擦った。その後、前記と同様の方法で透過流束および塩阻止率を測定した。
【００６７】
【表１】
0006747926.tif 000002
【００６８】
実施例１〜６の保護層付き複合半透膜は、スキン層側の膜面を擦っても塩阻止率がほとんど低下していない。これは、スキン層上の保護層によってスキン層がダメージを受けなかったためと考えられる。また、通水処理を行って保護層をできる限り除去することにより水透過性は高く維持されている。一方、比較例１の複合半透膜は、保護層を有しておらず、擦れによってスキン層が大きなダメージを受けたため塩阻止率が大きく低下している。比較例２の保護層付き複合半透膜は、カルボン酸変性されていないＰＶＡで保護層が形成されているため、通水処理を行っても保護層が除去されにくく、水透過性に劣っている。比較例３〜５の保護層付き複合半透膜は、保護層が十分に形成されておらず、擦れによってスキン層がダメージを受けたため塩阻止率が低下している。
【産業上の利用可能性】
【００６９】
本発明のスパイラル型分離膜エレメントは、超純水の製造、かん水または海水の脱塩などに好適であり、また染色排水や電着塗料排水などの公害発生原因である汚れなどから、その中に含まれる汚染源あるいは有効物質を除去・回収し、排水のクローズ化に寄与することができる。また、食品用途などで有効成分の濃縮、浄水や下水用途等での有害成分の除去などの高度処理に用いることができる。また、油田やシェールガス田などにおける排水処理に用いることができる。